(57)【要約】      （修正有）【課題】従来の寝袋の機能を十分に満たした上で、着用したままで行動でき、アウトドアスポーツ観戦、災害時においても活用できる寝袋、特に、地震災害の待機時に咄嗟の行動に最適な寝袋の提供。【解決手段】縫いぐるみ風寝袋の上部に使用者の頭を包容するフード部１０、中間部に使用者の上半身を包容する胴体部２０、下部に使用者の下半身を包容する脚部３０とが、一体的に連結して縫いぐるみ様に形成され、前記フード部１０は前面の顔面部分が開口１１し、前記胴体部２０は前開きで両側面が開閉自在であり、前記脚部３０はズボン状に二股に分かれ、その先端の足部３１の底面長手方向中央全長が開閉自在である特徴的構成手段の採用。【選択図】図１
0003110944.tif 000002
【実用新案登録請求の範囲】
【請求項１】
上部に使用者の頭を包容するフード部、中間部に使用者の上半身を包容する胴体部、下部に使用者の下半身を包容する脚部とが、一体的に連結して縫いぐるみ様に形成された寝袋であって、
前記フード部は前面の顔面部分が開口し、
前記胴体部は前開きで両側面が開閉自在であり、
前記脚部はズボン状に二股に分かれ、その先端部分が開閉自在である、
ことを特徴とする縫いぐるみ風寝袋。
【請求項２】
前記胴体部の前開きは、
表裏オープンファスナーを含む閉止具を使用することにより、
前記胴体部の両側面は、
内側開きファスナーを含む閉止具を使用することにより、
前記脚部の先端部分は、
外側開きファスナーを含む閉止具を使用することにより、
それぞれ開閉自在であることを特徴とする請求項１に記載の縫いぐるみ風寝袋。
【請求項３】
前記脚部は、
前面下方の脛部分及び爪先部には相互に番いの足先止め具が取り付けられている、
ことを特徴とする請求項１又は２に記載の縫いぐるみ風寝袋。
【請求項４】
前記寝袋は、裏地との中間層に樹脂綿又は羽毛を内在し、
前記フード部の後頭部側、前記胴体部の背面及び前記脚部の略中間高さの位置にそれぞれキルト止め固定縫太糸が縫い付けられている、
ことを特徴とする請求項１、２又は３に記載の縫いぐるみ風寝袋。
【請求項５】
前記フード部は、
後頭部内側には空気吹込、抜気自在なエアー枕を、
前記胴体部は、
背中内側には空気吹込、抜気自在なエアーマットを装着している、
ことを特徴とする請求項１、２、３又は４に記載の縫いぐるみ風寝袋。
【請求項６】
前記寝袋は、密封袋に収容し、真空パックして圧縮した状態で携帯又は収納可能である、
ことを特徴とする請求項１、２、３、４又は５に記載の縫いぐるみ風寝袋。
【考案の詳細な説明】
【技術分野】
【０００１】
本発明は、例えば大地震等の災害時において、就寝時等に寒さから身を守ると共に、着用したまま行動でき、咄嗟の行動にも対応することができ、かつ、平常時には、冬季のアウトドアスポーツ観戦等において防寒ウェアとしても用いることができる縫いぐるみ風寝袋に関する。
【背景技術】
【０００２】
従来、寝袋は身長に合わせた長方形をなし、移動可能でどこにでも設置できる寝床を提供するものであり、その機能は寝ることだけを目的とするものであった。従って、寝袋を使用する（寝る）前後の行動には対応することができなかった。
【考案の開示】
【考案が解決しようとする課題】
【０００３】
今までの寝袋は、一旦中に身体を収めてしまうと、就寝時の身体の動きに制限を加えるものであり、寝返りもままならず、咄嗟の時や就寝中の生理的現象時においても寝袋から出なければならず効率的ではなかった。
【０００４】
本考案の第１の目的は、従来の寝袋の機能を十分に満たした上で、アウトドアスポーツ観戦、災害時においても活用できる寝袋、特に、地震災害や水難の待機時に咄嗟の行動に最適な縫いぐるみ風寝袋を提供することである。
【０００５】
本考案の第２の目的は、水難事故に当り、救命浮体として着用可能な縫いぐるみ風寝袋を提供することである。
【０００６】
本考案のその他の目的は、明細書、図面、特に、実用新案登録請求の範囲における各請求項の記載から自ずと明らかとなろう。
【課題を解決するための手段】
【０００７】
本考案は、両腕・両足が出し入れ自在であり、寝袋を着用したまま行動することが可能であるように形成される特徴的構成手段を採用する。
【０００８】
さらに詳細に述べると、当該課題の解決では、本考案が以下に列挙するそれぞれの新規な特徴的構成手段を採用することにより前記目的を達成する。
【０００９】
即ち、本考案の第１の特徴は、上部に使用者の頭を包容するフード部、中間部に使用者の上半身を包容する胴体部、下部に使用者の下半身を包容する脚部とが、一体的に連結して縫いぐるみ様に形成された寝袋であって、前記フード部は前面の顔面部分が開口し、前記胴体部は前開きで両側面が開閉自在であり、前記脚部はズボン状に二股に分かれ、その先端部分が開閉自在である、縫いぐるみ風寝袋の構成採用にある。
【００１０】
本考案の第２の特徴は、上記本考案の第１の特徴における前記胴体部の前開きは、表裏オープンファスナーを含む閉止具を使用することにより、前記胴体部の両側面は、内側開きファスナーを含む閉止具を使用することにより、前記脚部の先端部分は、外側開きファスナーを含む閉止具を使用することにより、それぞれ開閉自在である、縫いぐるみ風寝袋の構成採用にある。
【００１１】
本考案の第３の特徴は、上記本考案の第１又は第２の特徴における前記脚部は、前面下方の脛部分及び爪先部には相互に番いの足先止め具が取り付けられている、縫いぐるみ風寝袋の構成採用にある。
【００１２】
本考案の第４の特徴は、上記本考案の第１、第２又は第３の特徴における前記寝袋は、裏地との中間層に樹脂綿又は羽毛を内在し、前記フード部の後頭部側、前記胴体部の背面及び前記脚部の略中間高さの位置にそれぞれキルト止め固定縫太糸が縫い付けられている、縫いぐるみ風寝袋の構成採用にある。
【００１３】
本考案の第５の特徴は、上記本考案の第１、第２、第３又は第４の特徴における、前記フード部は、後頭部内側には空気吹込、抜気自在なエアー枕を、前記胴体部は、背中内側には空気吹込、抜気自在なエアーマットを装着している、縫いぐるみ風寝袋の構成採用にある。
【００１４】
本考案の第６の特徴は、上記本考案の第１、第２、第３、第４又は第５の特徴における前記寝袋は、密封袋に収容し、真空パックして圧縮した状態で携帯又は収納可能である、縫いぐるみ風寝袋の構成採用にある。
【考案の効果】
【００１５】
本考案の縫いぐるみ風寝袋を使用することにより、以下の効果が得られる。
（１）胴体部の両側面を開閉自在にし、脚部をズボン状に二股にし、かつ、脚部の先端部を開閉自在とすることにより、手足が寝袋から出し入れ自由になるので寝袋を着用したまま行動することが可能となる。
従って、夜間は寝袋として使用し、咄嗟の時には防災服として活用することができる。特に、地震の直後で余震が予想される状況で屋外や車中で就寝する際には最適である。
（２）表素材に耐水撥水性、防水性機能のあるものを、裏素材に樹脂綿又は羽毛を使用するため、災害時の身体の安全対策上優れているだけでなく、冬季における雪・雨天下のアウトドアスポーツ観戦時などには防寒服として着用することができる。
（３）フード部に装着したエアー枕、胴体部に装着したエアーマットが、水の中では浮き袋の役目を果たすので、水害時には救命胴衣としての効果も奏する。
（４）就寝時、寝返り等身体の向きが自由に変えられ、仰向け状態の一定姿勢を維持強制されず健康的である。
（５）胴体部に取り付けた収納ポケットに医療品、マスクなどの災害必需品を収納し、密封袋に詰め、真空パックして圧縮した状態で家や車の中、オフィスのデスクやロッカーに常備することにより防災装備として活用することができる。
（６）あらゆるキャラクタの縫いぐるみ風に製作でき、個性豊かで遊び心を持って楽しく着用できる。
【考案を実施するための最良の形態】
【００１６】
従来の寝袋の機能を十分に満たした上で、アウトドアスポーツ観戦、災害時においても活用できる寝袋、特に、地震災害の待機時に咄嗟の行動に最適な寝袋を提供するという目的を、フード部、胴体部及び脚部を一体的に連結し、手足を自由に出し入れできるようにすると共に用意した袖を取付けて縫いぐるみ様に構成し防寒を保つことで実現した。
【実施例】
【００１７】
以下、本考案の実施形態例を添付図面に基づいて説明する。
図１において、１０は使用者の頭部を包容するフード部であり、前面の顔面部分が開口１１し、当該開口１１部分の上側の縁を通して、両端を外出した締め紐１２が具備されている。必要に応じて、この締め紐１２を引っ張ることにより開口１１部が絞り込まれて使用者の頭部をほぼ包み込むこととなり、外気の侵入が防止されて温暖効果を高めることができる。
【００１８】
また、フード部１０の後頭部の内側にはエアー枕１３を装着する。このエアー枕１３は、就寝時には寝心地を快適にする枕として、災害時には使用者の首や後頭部を保護するために機能するし、弁口１４を通して不使用時には空気を抜いておき、必要時に吹き込む。
【００１９】
フード部１０の下方には胴体部２０が連なる。胴体部２０の両側面には図３に示すように閉止具である腕出しファスナー２２が装着されるので両腕の出し入れが自由となる。この腕出しファスナー２２には内側開きファスナーを使用し、就寝時には両腕を中に入れて腕出しファスナー２２を閉じ、起床時には内側から腕出しファスナー２２を開いて両腕を外に出して活動することができる。
【００２０】
胴体部２０は前開きであり、閉止具である前開きファスナー２１に表裏オープンファスナーを使用することにより、就寝時及び起床時には寝袋の中に入れた手で内側から、活動時には寝袋の外に出した手で外側から全部又は一部開閉することができる。
【００２１】
胴体部２０のウエスト位置略全周に亙り通して両端を外出した締め紐２３が具備される。この締め紐２３を引っ張って絞ることにより使用者の身体へ寝袋がより密着し、使用者の可動性が高められる。
【００２２】
また、胴体部２０の適宜部位、例えば両胸部分には収納ポケット２４が取り付けられ、この収納ポケット２４に医療品、生活用品などを収納し、災害時に備えて常備することができる。
【００２３】
更に、胴体部２０の背中部分の内側にはエアーマット２５をエアーマット取り付け紐２７によって装着することができる。このエアーマット２５は、フード部１０のエアー枕１３と共に、弁口２６を通して通常は空気を抜いて保管し、使用時に口で空気を注入して使うものであり、床面や地面が硬いか、凸凹した状態でも就寝時の快適性を増すだけでなく、水の中では浮き袋の役目を果たすので、水害時には救命胴衣としての効果も奏する。
【００２４】
胴体部２０の下方には、ズボン上に二股に分かれた脚部３０が連なり、脚部３０がズボン状であることにより、寝袋を着用したままで行動することが可能となる。
【００２５】
脚部３０の先端部分は靴型に膨らみ、その底面の外周の略半周分に閉止具である靴出しファスナー３２が装着される。靴出しファスナー３２には外側開きファスナーを使用し、これを開くことにより寝袋からの靴の出し入れが自在となる。従って、活動時には靴を出して歩くことができるので可動性が向上し、就寝時には図４に示すように、靴を寝袋の中に入れて靴出しファスナー３２を閉じることにより下半身の温暖効果を確保できる。
【００２６】
更に、脚部３０の前面下方の脛部分と脚部３０足部３１の靴型の膨らみの爪先部分には番いの足部たくし上げ用足先止め具である足先止めボタン３３が取り付けられる。靴を寝袋の外に出して行動するときには、図５に示すように靴出しファスナー３２を開けて脚部の爪先部分と脛部分の両足先止めボタン３３を留めることによって、寝袋の裾部分が靴に引っ掛かることがなくなり歩きやすくなる。
【００２７】
寝袋全体の表素材には、耐水撥水性及び防風性機能のあるポリエステル１００％の超高密度織物などを使用し、また、火事などの災害対策としては防炎効果のあるビニロン素材などを使用することにより、目的に合わせた効果を奏することができる。
【００２８】
裏地との中間層には、保温材として樹脂綿や羽毛（洗える羽毛）などを内在させることにより保温性を確保でき、図１及び図２に示すように、脚部３０の両脚の略中間膝の高さ位置に横方向に、胴体部２０の背面に左右一本ずつ縦方向に、フード部１０の後頭部側に数本横方向に、それぞれキルト止め固定縫太糸１５、２８、３４を縫い付けることにより樹脂綿や羽毛を固定し、中間層内で偏ることを防止する。
【００２９】
また、寝袋を袋詰めし真空パックして圧縮することができる。圧縮しておけば嵩張らず、災害時に寝泊りする車内に装備したり、キャンプやアウトドアスポーツ観戦時には携帯に好適であり、収納ポケット２４に医療品や生活用品などの災害必需品を収納した上で圧縮しておけば、場所を取らずに防災装備として常備することができる。
【００３０】
なお。本実施形態例では専ら閉止具としてファスナーを説明したが、これに限定されず、ホック、ボタン、マジックテープ（登録商標）も、また足先止め具としてホック、マジックテープ（登録商標）も含まれることは明らかである。
【産業上の利用可能性】
【００３１】
その他の装備として健康を補助する機能として、蓄熱機能のあるニットやマイナスイオンを発生するといわれるトルマリンマットを追加することにより、保温効果や心地よさなど快適性を増す。
また、本考案に係る寝袋はワンピースになっており袖の機能はないが、ツーピース（脱着式のセパレーツ）にしたり、縫いぐるみ風に袖を追加することによって更に用途が広がる。
【図面の簡単な説明】
【００３２】
【図１】本考案の実施形態を示す縫いぐるみ風の寝袋の正面図である。
【図２】寝袋の背面図である。
【図３】寝袋から腕を出した状態の側面図である。
【図４】寝袋に靴を収納した状態の足部の側面図である。
【図５】寝袋から靴を出した状態の足部の側面図である。
【図６】エアー枕、エアーマットを装着した寝袋の内側の正面図である。
【図７】エアー枕、エアーマットを装着した寝袋の側面図である。
【符号の説明】
【００３３】
１０  フード部
１１  開口
１２  締め紐
１３  エアー枕
１４  弁口
１５  キルト止め固定縫太糸
２０  胴体部
２１  前開きファスナー
２２  腕出しファスナー
２３  締め紐
２４  収納ポケット
２５  エアーマット
２６  弁口
２７  エアーマット取付け紐
２８  キルト止め固定縫太糸
３０  脚部
３１  足部
３２  靴出しファスナー
３３  足先止めボタン
３４  キルト止め固定縫太糸
【図１】
0003110944.tif 000003
【図２】
0003110944.tif 000004
【図３】
0003110944.tif 000005
【図４】
0003110944.tif 000006
【図５】
0003110944.tif 000007
【図６】
0003110944.tif 000008
【図７】
0003110944.tif 000009